(57)【要約】【課題】設備が搭載された車両の貸し出しに関し、不必要な費用負担が発生することを抑制すると共に、ユーザの利便性の低下を抑制した「車両設備管理システムおよび車両設備管理方法」を提供する。【解決手段】車両設備管理システム１は、事前の契約に基づく使用の許可／非許可を設備ごとに管理する使用可否管理部１１と、使用が許可されていない設備をユーザが使用しようとしていることを検出する使用意思検出部１２と、使用が許可されていない設備をユーザが使用しようとしていることが検出された場合、警告する警告部１３とを備え、使用が許可された設備にのみ課金できるようにすると共に、使用が許可されていない設備を使用しようとしたときにユーザが気付くようにしている。【選択図】図２
2020119275.tif 000002
【特許請求の範囲】
【請求項１】
ユーザが使用可能な設備が搭載され、ユーザに貸し出される車両の前記設備に関する管理を行う車両設備管理システムであって、
事前の契約に基づく使用の許可／非許可を前記設備ごとに管理する使用可否管理部と、
使用が許可されていない前記設備をユーザが使用しようとしていることまたは使用したことを検出する使用意思検出部と、
前記使用意思検出部により、使用が許可されていない前記設備をユーザが使用しようとしていることまたは使用したことが検出された場合、警告する警告部と、
を備えることを特徴とする車両設備管理システム。
【請求項２】
前記使用可否管理部は、前記設備ごとに使用の許可／非許可を管理する一方、前記警告部により警告が行われた場合、ユーザが使用しようとしていたまたは使用した前記設備についての契約の変更を指示できるインターフェースを提供し、前記インターフェースに対する入力に応じて契約を変更することを特徴とする請求項１に記載の車両設備管理システム。
【請求項３】
使用が許可されていない前記設備をユーザが所定の態様で使用した場合、その使用について発生する追加料金を算出する追加料金算出部を更に備えることを特徴とする請求項１または２に記載の車両設備管理システム。
【請求項４】
前記車両が返却された後、問い合わせに応じて、ユーザにより使用された設備を通知する使用状況通知部を更に備えることを特徴とする請求項１から３の何れか１項に記載の車両設備管理システム
【請求項５】
ユーザにより前記設備の使用方法を問い合わせる音声が発話され、その音声が前記車両の車内に設けられたマイクにより収音された場合、その音声を認識し、所定の手段で応答する応答部を更に備えることを特徴とする請求項１から４の何れか１項に記載の車両設備管理システム。
【請求項６】
前記応答部は、ユーザの発話音声を認識して回答文を生成し、回答文に対応する音声を前記車両の車内に設けられたスピーカから出力させることを特徴とする請求項５に記載の車両設備管理システム。
【請求項７】
ユーザが使用可能な設備が搭載され、ユーザに貸し出される車両の前記設備に関する管理を行う車両設備管理システムによる設備管理方法であって、
前記車両設備管理システムの使用可否管理部が、事前の契約に基づく使用の許可／非許可を前記設備ごとに管理するステップと、
前記車両設備管理システムの使用意思検出部が、使用が許可されていない前記設備をユーザが使用しようとしていることまたは使用したことを検出するステップと、
前記車両設備管理システムの警告部が、前記使用意思検出部により、使用が許可されていない前記設備をユーザが使用しようとしていることまたは使用したことが検出された場合、警告するステップと、
を含むことを特徴とする車両設備管理方法。
【発明の詳細な説明】
【技術分野】
【０００１】
本発明は、車両設備管理システムおよび車両設備管理方法に関し、特に、車両に搭載された設備に関する管理を行う車両設備管理システムおよび車両設備管理方法に用いて好適なものである。
【背景技術】
【０００２】
従来、ユーザに車両を貸し出すサービスとしてレンタカーサービスや、カーシェアリングサービスが存在する。各サービスでは、基本的には、ユーザが車両を借り受けて使用し、その対価を支払う。
【０００３】
なお、特許文献１には、ユーザの旅行や観光を支援する旅行システムについて、ユーザの入力に基づいて、訪問する観光地や、使用する交通手段等の項目を含むプラン案を生成して保存しておく一方、ユーザの実際の活動記録に基づいて事後的にプラン案を変更し、ユーザに提案する技術が記載されている。
【先行技術文献】
【特許文献】
【０００４】
【特許文献１】特開２０１６−１３９２６３号公報
【発明の概要】
【発明が解決しようとする課題】
【０００５】
ユーザに車両を貸し出すサービスの普及に応じて、今後、乗用車のみならず、様々な種類の車両が貸し出されるようになる（または貸し出しが行われることがより普及する）ことが想定される。特に、ユーザが使用したりしなかったりする設備が設けられた車両（以下、このような車両を「設備搭載車両」という）も貸し出しの対象となる（または貸し出しが行われることがより普及する）ことが想定される。設備搭載車両の一例はキャンピングカーであり、キャンピングカーには設備として、冷蔵庫や、コンロ、バスルーム、トイレ、キッチン、外で使用するテント等の設備が搭載されている。この他、設備搭載車両の例としては、冷蔵庫やカラオケシステムが設けられた大型車等がある。
【０００６】
設備搭載車両を貸し出す場合、設備に関してどのように課金するかが問題となる。この点に関し、ユーザが全ての設備を使用するものとして、全ての設備に対応する料金を課金した場合、ユーザによっては使用する設備としない設備があるため、ユーザにとって不必要な費用負担が発生する可能性がある。これを踏まえ、使用できる設備と使用できない設備とを事前に厳密に取り決め、使用できるとした設備についてのみ対応する料金を課金するようにすると、ユーザは、設備搭載車両を借り受ける際、自分が何を使用でき、何を使用できないのかを完全に把握した上で使用する必要があり、ユーザの利便性が低下する可能性がある。
【０００７】
本発明は、このような問題を解決するために成されたものであり、設備が搭載された車両の貸し出しに関し、不必要な費用負担が発生することを抑制すると共に、ユーザの利便性の低下を抑制することを目的とする。
【課題を解決するための手段】
【０００８】
上記した課題を解決するために、本発明では、事前の契約に基づく使用の許可／非許可を設備ごとに管理し、使用が許可されていない設備をユーザが使用しようとしていることまたは使用したことを検出し、警告するようにしている。
【発明の効果】
【０００９】
上記のように構成した本発明によれば、使用の許可／非許可が設備ごとに管理されるため、この管理の下、使用が許可された設備についてのみ課金することが可能となり、ユーザにとって不必要な費用負担が発生することを抑制できる。その上で、本発明によれば、使用が許可されていない設備をユーザが使用しようとした場合または使用した場合、警告がなされ、ユーザは警告に基づいて、使用が許可されていない設備を使用しようとしたこと（または使用したこと）を認識できる。このため、ユーザは、設備搭載車両を借り受ける際、自分が何を使用でき、何を使用できないのかを完全に把握する必要がなく、ユーザの利便性の低下を抑制できる。
【図面の簡単な説明】
【００１０】
【図１】本発明の一実施形態に係るカーシェアリングサービス提供システムの構成例を示す図である。
【図２】本発明の一実施形態に係る制御サーバおよび携帯端末の機能構成例を示すブロック図である。
【図３】本発明の一実施形態に係る車載装置の機能構成例を示すブロック図である。
【図４】契約変更画面の一例を示す図である。
【図５】本発明の一実施形態に係る携帯端末および制御サーバの動作例を示すフローチャートである。
【図６】本発明の一実施形態に係る車載装置および制御サーバの動作例を示すフローチャートである。
【図７】本発明の一実施形態に係る車載装置および制御サーバの動作例を示すフローチャートである。
【図８】本発明の一実施形態に係る制御サーバの動作例を示すフローチャートである。
【発明を実施するための形態】
【００１１】
以下、本発明の一実施形態を図面に基づいて説明する。図１は、本実施形態に係るカーシェアリングサービス提供システム１（特許請求の範囲の「車両設備管理システム」に相当）の構成例を示す図である。図１に示すように、カーシェアリングサービス提供システム１は、制御サーバ２を有する。この制御サーバ２は、インターネット、電話網、その他の通信網を含んで構成されたネットワークＮに接続されている。このネットワークＮには、複数の車載装置３と、複数の携帯端末４とが接続されている。
【００１２】
カーシェアリングサービス提供システム１は、ユーザに対してカーシェアリングサービスを提供するシステムである。説明の便宜のため、本実施形態でカーシェアリングサービスによりユーザに貸し出される車両は全て、キャンピングカーであるものとする。一般に、キャンピングカーには、冷蔵庫や、コンロ、バスルーム、トイレ、キッチンシンク、外で使用するテント等のユーザが使用を希望したりしなかったりする設備が設けられている。本実施形態では、ユーザに貸し出される車両は全て、設備として、冷蔵庫、トイレ、および、テントが設けられているものとする。後に明らかとなる通り、本実施形態では、カーシェアリングサービス提供システム１は、ユーザが使用を希望したりしなかったりする設備が設けられているというキャンピングカーの特徴に適した態様でカーシェアリングサービスを提供する。
【００１３】
制御サーバ２は、カーシェアリングサービスを提供する会社（以下、「カーシェアリング提供会社」という）が管理するサーバ装置であり、カーシェアリングサービスの提供に関する各種処理を実行する。なお、図１および後述する図２では、制御サーバ２を１つのブロックにより表しているが、これは制御サーバ２が単一のサーバ装置により構成されることを意味するものではなく、制御サーバ２は、複数のサーバ装置により構成されてもよい。
【００１４】
車載装置３は、カーシェアリング提供会社が貸し出すキャンピングカーに搭載された装置である。車載装置３は、制御サーバ２に対するクライアントとして機能する。
【００１５】
携帯端末４は、ユーザが所持する携帯型の端末である。本実施形態では、携帯端末４は、前面の広い領域にタッチパネルが設けられた板状の端末（例えば、いわゆるスマートフォンや、タブレット型コンピュータ）であるものとする。ただし、携帯端末４の形態は、本実施形態で例示する形態に限られず、一例として、タブレット型ではないモバイル型コンピュータや、腕時計型のウェアラブル端末等であってもよい。
【００１６】
本実施形態では、携帯端末４を所持するユーザは、カーシェアリング提供会社に事前に会員登録をしており、カーシェアリング提供会社が提供するカーシェアリングサービスを利用できる。本実施形態において、ユーザは、以下の態様でカーシェアリングサービスを利用する。すなわち、キャンピングカーを借り受ける場合、ユーザは、事前にキャンピングカーを予約する。キャンピングカーの予約については後述する。次いで、ユーザは、待機施設に赴き、必要な手続きを行ってキャンピングカーを借り受ける。待機施設とは、キャンピングカーのユーザへの貸し出し、および、ユーザからの返却が行われる施設であり、カーシェアリング提供会社により各地に設けられている。ユーザは、借り受けたキャンピングカーを所望の期間、使用した後、返却する。キャンピングカーを返却する場合、ユーザは、キャンピングカーで待機施設に赴き、必要な手続きを行ってキャンピングカーを返却する。なお、カーシェアリングサービスでは、車両の返却に関し、返却する待機施設を特定の待機施設とするラウンドトリップ方式や、任意の待機施設とするワンウェイ方式がある。
【００１７】
図２は、制御サーバ２および携帯端末４の機能構成例を示すブロック図である。図３は、車載装置３の機能構成例を示すブロック図である。図２に示すように、制御サーバ２は、機能構成として、通信部１０、使用可否管理部１１、使用意思検出部１２、警告部１３、応答部１４、追加料金算出部１５および使用状況通知部１６を備えている。図２に示すように、携帯端末４は、機能構成として、通信部２０および専用アプリ実行部２１を備えている。図３に示すように、車載装置３は、機能構成として、通信部３０、センサ検出値送信部３１および統括制御部３２を備えている。
【００１８】
上記各機能ブロック１０〜１７、２０、２１、３０〜３２は、ハードウェア、ＤＳＰ（Digital Signal Processor）、ソフトウェアの何れによっても構成することが可能である。例えばソフトウェアによって構成する場合、上記各機能ブロック１０〜１７、２０、２１、３０〜３２は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１９】
制御サーバ２の通信部１０、携帯端末４の通信部２０および車載装置３の通信部３０は、所定の通信規格に従って、ネットワークＮと接続する外部装置と通信する機能ブロックである。また、携帯端末４の専用アプリ実行部２１は、カーシェアリング提供会社から提供されて、携帯端末４にインストールされた専用のアプリケーション（以下、「専用アプリ」という）の機能により各種処理を実行する機能ブロックである。
【００２０】
図２に示すように、制御サーバ２は、記憶手段として、記憶部１８を備えている。記憶部１８は、ハードディスク等の不揮発性記憶装置を備え、少なくとも、設備管理データベース１９を記憶する。設備管理データベース１９の内容については後述する。
【００２１】
以下、キャンピングカーの予約が行われる予約段階、予約されたキャンピングカーが実際に貸し出されて使用される使用段階、および、キャンピングカーの返却が行われる返却段階（返却後の期間を含む）に分けて、各装置の各機能ブロックの機能について説明する。
【００２２】
＜予約段階＞
まず、予約段階における各装置の各機能ブロックの機能について説明する。キャンピングカーを予約する前に、ユーザは、専用アプリを自身の携帯端末４にインストールする。そして、ユーザは、キャンピングカーを予約する場合、専用アプリを起動し、所定の操作を行って、予約ページの表示を指示する。当該指示に応じて、携帯端末４の専用アプリ実行部２１は、図示しない予約管理システムの所定のＵＲＬにアクセスする。当該所定のＵＲＬへのアクセスに応じて、予約管理システムは、画像情報（ＨＴＭＬファイル等）を携帯端末４に送信し、予約ページを表示させる。なお、詳細は省略しているが、当該所定のＵＲＬへのアクセスがあった際に適切にユーザ認証が行われる。
【００２３】
予約ページは、キャンピングカーの借り受けを開始する日時（年月日＋時刻）を入力する入力欄と、キャンピングカーを借り受ける待機施設を指定する情報を入力する入力欄とを有する。ユーザは、自身が待機施設を訪問しキャンピングカーを借り受ける日時と、自身が訪問する待機施設を指定する情報を各入力欄に入力する。また、予約ページは、キャンピングカーに設けられた設備（本実施形態では、冷蔵庫、トイレおよびテント）を選択する選択欄を有する。当該選択欄により、全ての設備を選択することも可能であり、１つの設備も選択しないことも可能である。ユーザは、当該選択欄を利用してキャンピングカーを借り受けた後、自身が使用することを希望する設備を選択する（ただし、１つも選択しなくてもよい）。本実施形態では、予約ページの選択欄を利用して、ある設備を選択することは、その設備の使用について契約することに相当する。従って、予約ページの選択欄を利用してユーザが選択した設備は、契約の下で使用が許可され、選択していない設備は、契約の下で使用が許可されないことになる。
【００２４】
予約ページへの入力が確定すると、図示しない予約管理システムにより、予約ごとに一意な予約ＩＤが発行されると共に、予約ＩＤ、ユーザＩＤ、貸し出しを開始する日時、貸し出しが行われる待機施設、契約により使用可能な設備の種類、その他の予約に関して管理すべき情報の管理が開始される。予約管理システムによる予約の管理についての詳細は割愛する。
【００２５】
また、予約ページへの入力が確定すると、予約管理システムから使用可否管理部１１に対して、予約ＩＤと対応付けて、予約ページの選択欄で選択された設備を示す情報が通知される。使用可否管理部１１は、予約管理システムからの通知に基づいて、予約ＩＤ、および、予約ページの選択欄で選択された設備を認識する。次いで、使用可否管理部１１は、記憶部１８に記憶された設備管理データベース１９にアクセスし、１件のレコードを生成する。
【００２６】
設備管理データベース１９の１件のレコードは、ユーザにより行われた予約ごとに、予約ＩＤと、冷蔵庫契約フラグと、トイレ契約フラグと、テント契約フラグと、冷蔵庫追加料金フラグと、トイレ追加料金フラグと、テント追加料金フラグとを有する。以下の説明では、冷蔵庫契約フラグ、トイレ契約フラグおよびテント契約フラグを総称して「契約フラグ」という。また、冷蔵庫追加料金フラグ、トイレ追加料金フラグおよびテント追加料金フラグを総称して「追加料金フラグ」という。使用可否管理部１１は、生成するレコードの予約ＩＤの値を、予約管理システムにより発行された予約ＩＤの値とする。使用可否管理部１１は、予約ページの選択欄でユーザに選択された設備の契約フラグをオンする一方、選択されなかった設備の契約フラグをオフする。例えば、冷蔵庫が選択された一方、それ以外の設備が選択されなかった場合、使用可否管理部１１は、冷蔵庫契約フラグをオンする一方、トイレ契約フラグおよびテント契約フラグをオフする。また、使用可否管理部１１は、冷蔵庫追加料金フラグ、トイレ追加料金フラグおよびテント追加料金フラグをオフする。
【００２７】
以上のように、使用可否管理部１１は、ユーザに貸し出されるキャンピングカーについて、記憶部１８に記憶された設備管理データベース１９を利用して、事前の契約に基づく使用の許可／非許可を設備ごとに管理する。
【００２８】
＜使用段階＞
次に、予約されたキャンピングカーが実際に貸し出されている使用段階における各装置の各機能ブロックの機能について説明する。以下では、ユーザが、指定した日時に、指定した待機施設に訪問し、ユーザへのキャンピングカーの貸し出しが行われている状態であるものとする。また、以下において、ユーザにキャンピングカーが貸し出されてから、返却されるまでの期間を「使用期間」という。
【００２９】
図３に示すように、車載装置３は、車内の音声を収音するマイク３５、車内に音声を出力するスピーカ３６、および、画像の表示とタッチ操作の検出とを行うタッチパネル３７を備えている。また、車載装置３は、冷蔵庫関連センサ３８、トイレ関連センサ３９およびテント関連センサ４０を備えている。
【００３０】
冷蔵庫関連センサ３８は、冷蔵庫の電源がオフからオンに切り替わった場合に、そのことを示す検出値を出力する。本実施形態では、使用する設備として冷蔵庫が選択されている場合には、冷蔵庫の電源がオンされた状態でキャンピングカーが貸し出される一方、選択されていない場合には、冷蔵庫の電源がオフされた状態でキャンピングカーが貸し出される。使用する設備として冷蔵庫が選択されていない場合（冷蔵庫の使用が許可されていない場合）において、冷蔵庫の電源がオンされた場合、ユーザが冷蔵庫を使用しようとしているものと想定される。また、冷蔵庫関連センサ３８は、冷蔵庫の電源がオフからオンとなった後、一定期間以上、オンの状態が継続した場合、そのことを示す検出値を出力する。電源がオンされた状態が一定期間継続した場合、ユーザが、物の冷却のために、冷蔵庫の機能が発揮されるような態様で冷蔵庫を使用したものと想定される。
【００３１】
トイレ関連センサ３９は、トイレのドアが閉状態から開状態へと変化した場合に、そのことを示す検出値を出力する。トイレのドアが閉状態から開状態へと変化した場合、ユーザがトイレを使用しようとしているものと想定される。また、トイレ関連センサ３９は、トイレに使用する水を貯留するタンクの貯水量が初期値から一定量以上低下した場合、そのことを示す検出値を出力する。タンクの貯水量が初期値から一定量以上低下した場合、ユーザが、トイレの機能が発揮されるような態様でトイレを実際に使用したものと想定される。
【００３２】
テント関連センサ４０は、キャンピングカーの車内でテントを位置決めするロック機構のロックが外された場合に、そのことを示す検出値を出力する。本実施形態では、テントがロック機構にロックされた状態でキャンピングカーが貸し出される。ロック機構のロックが外された場合、ユーザがテントを使用しようとしているものと想定される。また、テント関連センサ４０は、ロック機構のロックが外された後、ロック機構の収納部からテントが取り外された場合に、そのことを示す検出値を出力する。ロック機構の収納部からテントが取り外された場合、ユーザが、テントの機能が発揮されるような態様でテントを使用するために取り外したものと想定される。
【００３３】
以下の説明では、冷蔵庫関連センサ３８が出力する「冷蔵庫の電源がオフからオンに切り替わったことを示す検出値」、トイレ関連センサ３９が出力する「トイレのドアが閉状態から開状態へと変化したことを示す検出値」、および、テント関連センサ４０が出力する「ロック機構のロックが外されたことを示す検出値」を総称して「使用意思検出値」という。
【００３４】
また、以下の説明では、冷蔵庫関連センサ３８が出力する「冷蔵庫の電源がオフからオンとなった後、一定期間以上、オンの状態が継続したことを示す検出値」、トイレ関連センサ３９が出力する「タンクの貯水量が初期値から一定量以上低下したことを示す検出値」、および、テント関連センサ４０が出力する「ロック機構の収納部からテントが取り外されたことを示す検出値」を総称して「実際使用検出値」という。
【００３５】
車載装置３のセンサ検出値送信部３１は、キャンピングカーに設けられたセンサから使用意思検出値を入力した場合、制御サーバ２の使用意思検出部１２に使用意思検出値関連情報を送信する。使用意思検出値関連情報は、予約ＩＤと、設備の種類を示す情報と、入力した使用意思検出値に対応する情報とを含む情報である。なお、予約ＩＤは、キャンピングカーがユーザに貸し出される前の所定のタイミングで、車載装置３に登録される。例えば、冷蔵庫の電源がオンからオフに切り替わったことを示す使用意思検出値を冷蔵庫関連センサ３８から入力した場合、センサ検出値送信部３１は、予約ＩＤと、設備の種類が冷蔵庫であることを示す情報と、冷蔵庫の電源がオンからオフに切り替わったことを示す情報とを含む使用意思検出値関連情報を制御サーバ２の使用意思検出部１２に送信する。
【００３６】
制御サーバ２の使用意思検出部１２は、使用意思検出値関連情報を受信した場合、以下の処理を実行する。すなわち、使用意思検出部１２は、記憶部１８に記憶された設備管理データベース１９を参照し、当該データベースのレコードのうち、受信した使用意思検出値関連情報に含まれる予約ＩＤに対応するレコードを特定する。次いで、使用意思検出部１２は、特定したレコードの契約フラグ（冷蔵庫契約フラグ、トイレ契約フラグまたはテント契約フラグ）のうち、使用意思検出値関連情報に含まれる情報が示す設備の種類に対応する契約フラグがオンであるかオフであるかを判定する。
【００３７】
契約フラグがオンの場合、使用意思検出部１２は、受信した使用意思検出値関連情報を破棄する。なお、契約フラグがオンの場合、事前の契約により使用が許可されている設備をユーザが使用しようとしたものと想定される。一方、契約フラグがオフの場合、使用意思検出部１２は、使用意思検出値関連情報を警告部１３に出力する。なお、契約フラグがオフの場合、使用が許可されていない設備をユーザが使用しようとしたものと想定される。
【００３８】
例えば、使用意思検出部１２は、所定値の予約ＩＤと、設備の種類が冷蔵庫であることを示す情報と、冷蔵庫の電源がオンからオフに切り替わったことを示す情報とを含む使用意思検出値関連情報を受信した場合、以下の処理を実行する。すなわち、使用意思検出部１２は、設備管理データベース１９のレコードのうち、所定値の予約ＩＤに対応するレコードを特定する。次いで、使用意思検出部１２は、特定したレコードの契約フラグのうち、冷蔵庫契約フラグがオンであるかオフであるかを判定する。契約フラグがオンの場合、使用意思検出部１２は、受信した使用意思検出値関連情報を破棄する。一方、契約フラグがオフの場合、使用意思検出部１２は、使用意思検出値関連情報を警告部１３に出力する。
【００３９】
警告部１３は、使用意思検出部１２から使用意思検出値関連情報を入力した場合に、以下の処理を実行する。すなわち、警告部１３は、車載装置３の統括制御部３２に警告情報を送信する。本実施形態では、警告情報は、スピーカ３６から案内用音声を出力させるための音声情報と、タッチパネル３７に案内用画像を表示させるための画像情報とを含む。
【００４０】
案内用音声は、（１）現時点の契約ではユーザが使用しようとしている設備の使用が許可されていないこと、（２）設備を使用する場合は、契約内容を変更する必要があること、を伝える音声である。一例として、案内用音声は、「契約プランでは、本設備は利用することはできません。利用する場合は、契約内容の変更を実施してください。」という文言の音声である。案内用画像は、案内用音声と同様の事項を伝えるための画像であり、一例として、上述した文言が表示された画像である。更に、案内用画像には、タッチ操作可能な契約変更指示ボタンが含まれる。契約変更指示ボタンは、契約を変更する場合にタッチ操作されるボタンである。
【００４１】
車載装置３の統括制御部３２は、制御サーバ２の警告部１３から警告情報を受信した場合、受信した警告情報に含まれる音声情報に基づいて、スピーカ３６から案内用音声を出力する。更に、統括制御部３２は、受信した警告情報に含まれる画像情報に基づいてタッチパネル３７に案内用画像を表示する。この結果、使用が許可されていない設備をユーザが使用しようとした場合、スピーカ３６から案内用音声が出力されると共に、タッチパネル３７に案内用画像が表示され、ユーザが、使用が許可されていない設備をしようとしていることを認識することになる。
【００４２】
ここで、キャンピングカーの利用料金に関し、使用できる設備と使用できない設備とを事前に厳密に取り決め、使用できるとした設備についてのみ対応する料金を課金するようにすると、ユーザは、キャンピングカーを借り受ける際、自分がどの設備を使用でき、どの設備を使用できないのかを完全に把握した上で使用する必要があり、ユーザの利便性が低下する可能性がある。一方、本実施形態によれば、使用が許可されていない設備をユーザが使用しようとした場合、警告がなされ、ユーザは警告に基づいて、使用が許可されていない設備を使用しようとしたことを認識できる。このため、ユーザは、キャンピングカーを借り受ける際、自分が何を使用でき、何を使用できないのかを完全に把握する必要がなく、ユーザの利便性の低下を抑制できる。
【００４３】
なお、本実施形態では、キャンピングカーの車内に設けられたスピーカ３６により音声で警告が行われると共に、車内に設けられたタッチパネル３７により画像で警告が行われる構成であるが、警告が行われる方法は本実施形態で例示する方法に限られない。一例として、ユーザの携帯端末４の専用アプリに対するプッシュ通知や、メールにより通知されるようにしてもよい。また、キャンピングカーのテレビや、リアビジョンへ等のタッチパネル３７以外の表示装置に画像を表示する（その際、音声を出力するようにしてもよい）ことにより、警告を行う構成でもよい。
【００４４】
警告情報に基づく警告を行った後、統括制御部３２は、案内用画像に含まれる契約変更指示ボタンがタッチ操作されたか否かを監視する。契約変更指示ボタンがタッチ操作された場合、統括制御部３２は、予約ＩＤと、契約変更指示ボタンがタッチ操作されたことを示す情報とを含む契約変更要求情報を制御サーバ２の使用可否管理部１１に送信する。
【００４５】
制御サーバ２の使用可否管理部１１は、契約変更要求情報を受信した場合、以下の処理を実行する。すなわち、使用可否管理部１１は、記憶部１８に記憶された設備管理データベース１９を参照し、契約変更要求情報に含まれる予約ＩＤに対応するレコードを特定する。次いで、使用可否管理部１１は、特定したレコードに基づいて、タッチパネル３７に契約変更画面４５（図４）を表示させるための画像情報を生成する。契約変更画面４５の内容については後述する。使用可否管理部１１は、生成した画像情報（契約変更画面４５を表示させるための画像情報）を車載装置３の統括制御部３２に送信する。
【００４６】
車載装置３の統括制御部３２は、画像情報を受信し、画像情報に基づいてタッチパネル３７に契約変更画面４５を表示する。図４は、契約変更画面４５の一例を示す図である。図４に示すように、契約変更画面４５は、キャンピングカーに設けられた設備ごとに、現時点の契約の状況、つまり、使用が許可されているか否かが明示されると共に、使用が許可されていない設備については、チェック欄にチェックを入れることにより、契約を変更して使用が許可されていない状態から許可された状態へと変更できるようになされている。
【００４７】
ユーザは、タッチパネル３７に表示された契約変更画面４５を参照し、自身が使用しようとした設備や、他の使用が許可されていない設備について、契約を変更すること（使用が許可された状態とすること）を望む場合には、契約変更画面４５の対応するチェック欄にチェックを入れ、確定ボタン４６をタッチ操作する。なお、ユーザは、契約変更を望まない場合、何れのチェック欄にもチェックを入れずに確定ボタン４６をタッチ操作する。統括制御部３２は、契約変更画面４５の確定ボタン４６がタッチ操作されたことを検出すると、入力結果情報を制御サーバ２の使用可否管理部１１に送信する。入力結果情報は、予約ＩＤと、チェック欄にチェックが入れられた設備の種類を示す情報とを含む情報である。ただし、何れのチェック欄にもチェックが入れられていない場合、そのことを示す情報が、チェック欄にチェックが入れられた設備の種類を示す情報に代えて入力結果情報に含められる。
【００４８】
使用可否管理部１１は、入力結果情報を受信すると、以下の処理を実行する。すなわち、使用可否管理部１１は、何れのチェック欄にもチェックが入れられなかったことを示す情報が入力結果情報に含まれている場合には、入力結果情報を破棄する。一方、使用可否管理部１１は、チェック欄にチェックが入れられた設備の種類を示す情報が入力結果情報に含まれている場合には、設備管理データベース１９のレコードのうち、入力結果情報に含まれる予約ＩＤに対応するレコードを特定する。
【００４９】
次いで、使用可否管理部１１は、特定したレコードに含まれる契約フラグのうち、チェック欄にチェックが入れられた設備の種類（契約を変更し使用が許可された状態とすることをユーザが希望する設備の種類）に対応する契約フラグの値をオフからオンに変更する。この結果、使用が許可されていない設備をユーザが使用しようとしたことに起因してユーザに対して警告がなされた場合において、ユーザによりその設備についての契約の変更が指示された場合、使用可否管理部１１の機能により、その設備に対応する契約フラグが書き換えられ、以後、その設備は、使用が許可された設備として管理され、管理上、ユーザがその設備を使用できるようになる。
【００５０】
以上のように、使用可否管理部１１は、設備ごとに使用の許可／非許可を管理する一方、警告部１３により警告が行われた場合、ユーザが使用しようとしていた設備についての契約の変更を指示できるインターフェース（契約変更画面４５）を提供し、インターフェースに対する入力に応じて契約を変更する。
【００５１】
なお、契約に変更があった場合、使用可否管理部１１は、予約管理システムに対して予約の管理に必要な情報を送信し、予約管理システムは、適宜、予約の管理に必要な情報を更新する。
【００５２】
また、車載装置３のセンサ検出値送信部３１は、キャンピングカーに設けられたセンサから実際使用検出値を入力した場合、制御サーバ２の追加料金算出部１５に実際使用検出値関連情報を送信する。実際使用検出値関連情報は、予約ＩＤと、設備の種類を示す情報と、入力した実際使用検出値に対応する情報とを含む情報である。例えば、「冷蔵庫の電源がオフからオンとなった後、一定期間以上、オンの状態が継続したこと」を示す実際使用検出値を冷蔵庫関連センサ３８から入力した場合、センサ検出値送信部３１は、予約ＩＤと、設備の種類が冷蔵庫であることを示す情報と、冷蔵庫の電源がオフからオンとなった後、一定期間以上、オンの状態が継続したことを示す情報とを含む実際使用検出値関連情報を制御サーバ２の使用意思検出部１２に送信する。
【００５３】
制御サーバ２の追加料金算出部１５は、車載装置３のセンサ検出値送信部３１から実際使用検出値関連情報を受信した場合、以下の処理を実行する。すなわち、追加料金算出部１５は、記憶部１８に記憶された設備管理データベース１９を参照し、当該データベースのレコードのうち、受信した実際使用検出値関連情報に含まれる予約ＩＤに対応するレコードを特定する。次いで、追加料金算出部１５は、特定したレコードの契約フラグのうち、実際使用検出値関連情報に含まれる情報が示す設備の種類に対応する契約フラグがオンであるかオフであるかを判定する。
【００５４】
契約フラグがオンの場合、追加料金算出部１５は、受信した実際使用検出値関連情報を破棄する。なお、契約フラグがオンの場合、事前の契約、または、事後的に変更された契約により使用が許可されている設備をユーザが使用したものと想定される。一方、契約フラグがオフの場合、追加料金算出部１５は、特定したレコードの追加料金フラグのうち、実際使用検出値関連情報に含まれる情報が示す設備の種類に対応するフラグをオフからオンへと変更する。なお、契約フラグがオフの場合、ユーザが、使用が許可されていない設備を、その設備の機能が発揮されるような態様で使用したものと想定される。
【００５５】
例えば、追加料金算出部１５は、所定値の予約ＩＤと、設備の種類が冷蔵庫であることを示す情報と、「冷蔵庫の電源がオフからオンとなった後、一定期間以上、オンの状態が継続したことを示す情報」とを含む実際使用検出値関連情報を受信した場合、以下の処理を実行する。すなわち、追加料金算出部１５は、設備管理データベース１９のレコードのうち、所定値の予約ＩＤに対応するレコードを特定する。次いで、追加料金算出部１５は、特定したレコードの契約フラグのうち、冷蔵庫契約フラグがオンであるかオフであるかを判定する。契約フラグがオンの場合、追加料金算出部１５は、受信した実際使用検出値関連情報を破棄する。一方、契約フラグがオフの場合、追加料金算出部１５は、特定したレコードの追加料金フラグのうち、冷蔵庫追加料金フラグをオフからオンへと変更する。なお、「冷蔵庫の電源がオフからオンとなった後、一定期間以上、オンの状態が継続したことを示す情報」の一定期間について、期間の長さは、契約の変更に要する時間等を考慮した十分に長い値とされる。
【００５６】
以上のように、使用が許可されていない設備について、ユーザが、その設備の機能が発揮されるような態様で使用した場合には、そのことが検出された上で、追加料金算出部１５により、設備管理データベース１９が用いられて、そのことが管理される。なお、テントについては、ロック機構から取り外された直後は、未だ機能が発揮されているような態様で使用されているとは言えないが、いずれ使用されることになるため、機能が発揮されているような態様で使用しているとみなすことができる。
【００５７】
また、使用期間の間、ユーザは、発話によって、任意の設備の使用方法を問い合わせ、音声によりその回答を得ることができる。以下、ユーザの発話があり、その発話に対して音声により回答があることを「音声対話」という。詳述すると、ユーザは、所定の設備の使用方法を問い合わせる場合、ウェイクワードを発話し、ウェイクワードに続けて、その所定の設備の使用方法を問い合わせる文言を発話する。ウェイクワードとは、音声対話を開始する際に、ユーザが発話する特定の文言である。一例として、冷蔵庫の使用方法を問い合わせる場合において、ユーザは「○○、冷蔵庫の使い方を教えて」（○○は、ウェイクワードを表している。）と発話する。以下、ウェイクワードに続く、設備の使用方法を問い合わせる文言を「リクエスト」という。
【００５８】
使用期間の間、車載装置３の統括制御部３２は、車内に設けられたマイク３５により収音された音声の音声データを分析し、ユーザによりウェイクワードが発話されたか否かを監視する。音声データの分析は既存の技術により適切に行われる。統括制御部３２は、ウェイクワードが発話されたことを検出すると、ウェイクワードに続くリクエストの音声データを、定められたプロトコルに従って制御サーバ２の応答部１４に送信する。
【００５９】
制御サーバ２の応答部１４は、音声データを受信すると、音声認識を含む分析を行って、ユーザによるリクエストに対するレスポンスを生成する。レスポンスの生成は既存の技術に基づいて適切に実行される。例えば、レスポンスは、「冷蔵庫の使い方を教えて」というリクエストに対して、「冷蔵庫の使い方は、××です」（××は、冷蔵庫の使用方法を表している。××の部分は、複数の文章で構成されていてもよい）というものである。この場合、応答部１４は、人工知能による音声認識処理や、自然言語処理、情報要約処理等を通してリクエストの内容を認識し、リクエストを生成するために必要な情報を収集し、収集した情報に基づいてレスポンスを生成する。
【００６０】
レスポンスを生成した後、応答部１４は、レスポンスに対応する音声が記録された音声データ（以下、「レスポンス音声データ」という）を生成する。次いで、応答部１４は、レスポンス音声データを車載装置３の統括制御部３２に送信する。車載装置３の統括制御部３２は、応答部１４からレスポンス音声データを受信すると、受信したレスポンス音声データに記録されたレスポンスに対応する音声をスピーカ３６から出力させる。レスポンスに対応する音声の出力が完了することにより、一連の音声対話が完了する。
【００６１】
車載装置３と制御サーバ２により以上の処理が行われるため、ユーザは、キャンピングカーに搭載された設備について、その使用方法が分からない場合、マニュアルを参照したり、インターネットで調べたりするといった煩雑な作業を経ることなく、迅速にその使用方法について知ることが可能である。
【００６２】
なお、本実施形態では、音声により設備の使用方法の案内が行われる構成であるが、タッチパネル３７を使用した画像を利用したり、ユーザの携帯端末４に情報が通知されるようにしたりすることによって案内が行われるようにしてもよい。
【００６３】
＜返却段階＞
次に、返却段階における各装置の各機能ブロックの機能について説明する。キャンピングカーを返却する際、ユーザは、任意または特定の待機施設にキャンピングカーを走行させ、待機施設においてキャンピングカーを返却する。
【００６４】
キャンピングカーの返却後、ユーザは、利用料金を支払う。利用料金の支払いは、待機施設における現金払いや、電子マネーによる支払い等の種々の方法で行うことが可能であるが、本実施形態では、事前に登録されたクレジットカードから自動で支払いが行われるものとする。本実施形態では、利用料金は、基本使用料金と、追加料金とからなる。基本使用料金とは、事前に定められた固定料金や、使用期間の長さや走行距離に応じて変動する変動料金、契約により使用が許可された設備に関する料金等を含む。キャンピングカーが返却されると、予約管理システムは、基本使用料金を算出するために必要な情報を収集し、適切な方法で基本使用料金を算出する。
【００６５】
ここで、本実施形態では、使用の許可／非許可が設備ごとに管理されるため、この管理の下、使用が許可された設備についてのみ課金することが可能である。このため、ユーザにとって不必要な費用負担が発生することを抑制できる。
【００６６】
一方、追加料金とは、使用が許可されていない設備について、ユーザが、設備の機能が発揮されるような態様で使用した場合に、その使用について課す料金である。追加料金算出部１５は、以下の方法で追加料金を算出する。
【００６７】
すなわち、キャンピングカーが返却されると、待機施設の所定の装置から、制御サーバ２の追加料金算出部１５に対して、返却通知情報が送信される。返却通知情報は、予約ＩＤと、キャンピングカーが返却されたことを示す情報を含む。追加料金算出部１５は、返却通知情報を受信すると、設備管理データベース１９を参照し、返却通知情報に含まれる予約ＩＤに対応するレコードを特定する。次いで、追加料金算出部１５は、特定したレコードの追加料金フラグを参照し、追加料金フラグがオンとなっている設備の種類を認識する。追加料金フラグがオンとなっている設備は、ユーザが、その設備の使用が許可されていない状況で、その設備の機能が発揮されるような態様で使用した設備である。
【００６８】
本実施形態では、設備ごとに、使用が許可されていない状況で使用された場合に、その設備について追加すべき料金が予め定められている。この料金は、使用が許可された設備について発生する料金よりも割高とすることができる。追加料金算出部１５は、追加料金フラグがオンとなっている設備のそれぞれに追加すべき料金を加算することにより、追加料金を算出する。追加料金を算出した後、追加料金算出部１５は、算出した追加料金を予約管理システムに通知する。
【００６９】
予約管理システムは、自ら算出した基本使用料金と、追加料金算出部１５から通知された追加料金とを加算することにより利用料金を算出する。予約管理システムは、図示しないクレジットカードシステムと連携して、予め登録されたクレジットカードから自動で利用料金の支払いを受ける。
【００７０】
なお、本実施形態では、説明の便宜のため、追加料金算出部１５により追加料金が算出される方法を非常に単純化しているが、追加料金の算出は、設備の種類や、ユーザの使用態様、その他の要素に応じて適切に行われる。例えば、冷蔵庫に関しては、冷蔵庫に供給された電力量に応じて料金が変動するようにしてもよく、トイレに関しては使用された水の量に応じて料金が変動するようにしてもよい。
【００７１】
このように、本実施形態では、キャンピングカーが返却された後、追加料金が自動で算出されて請求される。このため、例えば、キャンピングカーが返却された後、カーシェアリング提供会社の担当者が人為的に使用状況をチェックし、チェック結果に基づいて追加料金を算出し、請求する場合と比較して、カーシェアリング提供会社側の負担が小さく、また、迅速に追加料金を請求することができる。
【００７２】
また、キャンピングカーが返却された後に、キャンピングカーのメンテナンスを行う担当者は、自身が所有する携帯型装置にインストールされた所定のアプリケーションの機能により、キャンピングカーに搭載された設備のうち、使用された設備と、使用されていない設備とを認識することができる。これにより、担当者は、使用された設備についてのみクリーニングしたり、消費物を補充したりする等の効率よいメンテナンスを行うことができる。
【００７３】
詳述すると、担当者は、携帯型装置の所定のアプリケーションを起動し、当該所定のアプリケーションが提供する所定のユーザインターフェイスに予約ＩＤを入力し、確定する。すると、携帯型装置の所定のアプリケーションは、予約ＩＤを含み、使用結果画面（後述）を表示するための画像情報の送信を要求する使用結果画面送信要求情報を制御サーバ２の使用状況通知部１６に送信する。
【００７４】
使用状況通知部１６は、使用結果画面送信要求情報を受信すると、記憶部１８に記憶された設備管理データベース１９のレコードのうち、当該情報に含まれる予約ＩＤに対応するレコードを参照し、契約フラグがオンの設備の種類と、追加料金フラグがオンの設備の種類とを認識する。ここで、契約フラグがオンの設備は、事前の契約の下、または、事後的に変更された契約の下、ユーザが使用した設備であり、追加料金フラグがオンの設備は、契約に反してユーザが使用した設備であり、契約フラグがオンの設備と追加料金フラグがオンの設備との集合は、ユーザが使用した設備を示している。
【００７５】
使用状況通知部１６は、契約フラグがオンの設備の種類と追加料金フラグがオンの設備の種類とを認識した後、使用結果画面を表示するための画像情報を生成する。使用結果画面とは、契約フラグがオンの設備の種類と追加料金フラグがオンの設備の種類とが明示された画面である。例えば、契約フラグがオンの設備の種類が冷蔵庫であり、追加料金フラグがオンの設備の種類がトイレである場合、使用結果画面は、冷蔵庫およびトイレが明示された画面である。使用状況通知部１６は、生成した画像情報を担当者の携帯型装置に送信する。
【００７６】
携帯型装置は、画像情報を受信すると、所定のアプリケーションの機能により、画像情報に基づいて使用結果画面を表示する。担当者は、携帯型装置に表示された使用結果画面の内容を確認することにより、使用された設備を認識することができ、当該認識に基づいて効率よくキャンピングカーをメンテナンスすることができる。
【００７７】
なお、本実施形態では、使用状況通知部１６は、契約により使用が許可された設備については、ユーザにより使用されたものとして、問い合わせに応じて、使用された設備として通知する（使用結果画面に情報を表示する対象とする）。しかしながら、使用が許可された設備であっても実際に使用されないケースもあり得る。これを踏まえ、使用状況通知部１６が、センサ検出値送信部３１からの情報を受け取り、実際に使用された設備を管理し、問い合わせに応じて、実際に使用された設備のみを、使用された設備として通知する構成でもよい。
【００７８】
次に、カーシェアリングサービス提供システム１の各装置の動作例についてフローチャートを用いて説明する。図５は、予約段階における携帯端末４の動作例、および、制御サーバ２の動作例を示すフローチャートである。図５において、フローチャートＦＡは携帯端末４の動作例を示し、フローチャートＦＢは制御サーバ２の動作例を示している。
【００７９】
図５に示すように、ユーザは、予約ページを利用して、借り受けを開始する日時を指定し、キャンピングカーを借り受ける待機施設を指定する情報を入力するほか、使用する設備を選択する（ステップＳＸ１）。予約ページへの入力が確定すると、専用アプリ実行部２１は、予約ページに入力された情報を予約管理システムに送信する（ステップＳＡ１）。使用可否管理部１１は、予約管理システムを介して、予約ページの選択欄で選択された設備を示す情報を受信し、予約ページの選択欄で選択された設備を認識する（ステップＳＢ１）。更に、使用可否管理部１１は、予約管理システムからの通知に基づいて、予約管理システムにより発行された予約ＩＤを取得する（ステップＳＢ２）。次いで、使用可否管理部１１は、記憶部１８に記憶された設備管理データベース１９にアクセスし、１件のレコードを生成する（ステップＳＢ３）。
【００８０】
次に、使用段階におけるカーシェアリングサービス提供システム１の各装置の動作例についてフローチャートを用いて説明する。図６は、車載装置３のセンサ検出値送信部３１が、キャンピングカーに設けられたセンサから使用意思検出値を入力した場合の車載装置３および制御サーバ２の動作を示すフローチャートである。図６においてフローチャートＦＣは車載装置３の動作例を示し、フローチャートＦＤは制御サーバ２の動作例を示している。
【００８１】
図６に示すように、車載装置３のセンサ検出値送信部３１は、キャンピングカーに設けられたセンサから使用意思検出値を入力した場合、使用意思検出値関連情報を送信する（ステップＳＣ１）。制御サーバ２の使用意思検出部１２は、使用意思検出値関連情報を受信した場合、記憶部１８に記憶された設備管理データベース１９を参照し、当該データベースのレコードのうち、受信した使用意思検出値関連情報に含まれる予約ＩＤに対応するレコードを特定する（ステップＳＤ１）。次いで、使用意思検出部１２は、特定したレコードの契約フラグのうち、使用意思検出値関連情報に含まれる情報が示す設備の種類に対応する契約フラグがオンであるか否かを判定する（ステップＳＤ２）。
【００８２】
契約フラグがオンの場合（ステップＳＤ２：ＹＥＳ）、使用意思検出部１２は、受信した使用意思検出値関連情報を破棄する（ステップＳＤ３）。ステップＳＤ３の処理後、フローチャートＦＤの処理は終了する。一方、契約フラグがオンではない場合（オフの場合）（ステップＳＤ２：ＮＯ）、使用意思検出部１２は、使用意思検出値関連情報を警告部１３に出力する（ステップＳＤ４）。なお、契約フラグがオフの場合、使用が許可されていない設備をユーザが使用しようとしたものと想定される。
【００８３】
警告部１３は、使用意思検出部１２から使用意思検出値関連情報を入力した場合、警告情報を送信する（ステップＳＤ５）。車載装置３の統括制御部３２は、制御サーバ２の警告部１３から警告情報を受信した場合、受信した警告情報に含まれる音声情報に基づいて、スピーカ３６から案内用音声を出力する（ステップＳＣ２）。更に、統括制御部３２は、受信した警告情報に含まれる画像情報に基づいてタッチパネル３７に案内用画像を表示する（ステップＳＣ３）。
【００８４】
次いで、統括制御部３２は、案内用画像に含まれる契約変更指示ボタンがタッチ操作されたか否かを監視する（ステップＳＣ４）。契約変更指示ボタンがタッチ操作された場合（ステップＳＣ４：ＹＥＳ）、統括制御部３２は、契約変更要求情報を制御サーバ２の使用可否管理部１１に送信する（ステップＳＣ５）。
【００８５】
制御サーバ２の使用可否管理部１１は、契約変更要求情報を受信した場合、記憶部１８に記憶された設備管理データベース１９を参照し、契約変更要求情報に含まれる予約ＩＤに対応するレコードを特定する（ステップＳＤ６）。次いで、使用可否管理部１１は、特定したレコードに基づいて、タッチパネル３７に契約変更画面４５（図４）を表示させるための画像情報を生成する（ステップＳＤ７）。次いで。使用可否管理部１１は、生成した画像情報を車載装置３の統括制御部３２に送信する（ステップＳＤ８）。
【００８６】
車載装置３の統括制御部３２は、画像情報を受信すると、画像情報に基づいてタッチパネル３７に契約変更画面４５を表示する（ステップＳＣ６）。ユーザは、タッチパネル３７に表示された契約変更画面４５を参照し、自身が使用しようとした設備や、他の使用が許可されていない設備について、契約を変更すること（使用が許可された状態とすること）を望む場合には、契約変更画面４５の対応するチェック欄にチェックを入れ、確定ボタン４６をタッチ操作する（ステップＳＸ３）。統括制御部３２は、契約変更画面４５の確定ボタン４６がタッチ操作されたことを検出すると、入力結果情報を制御サーバ２の使用可否管理部１１に送信する（ステップＳＣ７）。
【００８７】
使用可否管理部１１は、入力結果情報を受信すると、入力結果情報に、何れのチェック欄にもチェックが入れられなかったことを示す情報が含まれているか否かを判定する（ステップＳＤ９）。当該情報が含まれている場合（ステップＳＤ９：ＮＯ）、使用可否管理部１１は、入力結果情報を破棄する（ステップＳＤ１０）。ステップＳＤ１０の処理後、フローチャートＦＤは終了する。
【００８８】
一方、当該情報が含まれていない場合（チェック欄にチェックが入れられた設備の種類を示す情報が入力結果情報に含まれている場合）（ステップＳＤ９：ＮＯ）には、設備管理データベース１９のレコードのうち、入力結果情報に含まれる予約ＩＤに対応するレコードを特定する（ステップＳＤ１１）。
【００８９】
次いで、使用可否管理部１１は、特定したレコードに含まれる契約フラグのうち、チェック欄にチェックが入れられた設備の種類（契約を変更し使用が許可された状態とすることをユーザが希望する設備の種類）に対応する契約フラグの値をオフからオンに変更する（ステップＳＤ１２）。
【００９０】
図７は、車載装置３のセンサ検出値送信部３１が、キャンピングカーに設けられたセンサから実際使用検出値を入力した場合の車載装置３および制御サーバ２の動作を示すフローチャートである。図７においてフローチャートＦＥは車載装置３の動作例を示し、フローチャートＦＦは制御サーバ２の動作例を示している。
【００９１】
車載装置３のセンサ検出値送信部３１は、キャンピングカーに設けられたセンサから実際使用検出値を入力した場合、実際使用検出値関連情報を送信する（ステップＳＥ１）。制御サーバ２の追加料金算出部１５は、車載装置３のセンサ検出値送信部３１から実際使用検出値関連情報を受信した場合、記憶部１８に記憶された設備管理データベース１９を参照し、当該データベースのレコードのうち、受信した実際使用検出値関連情報に含まれる予約ＩＤに対応するレコードを特定する（ステップＳＦ１）。次いで、追加料金算出部１５は、特定したレコードの契約フラグのうち、実際使用検出値関連情報に含まれる情報が示す設備の種類に対応する契約フラグがオンか否かを判定する（ステップＳＦ２）。
【００９２】
契約フラグがオンの場合（ステップＳＦ２：ＹＥＳ）、追加料金算出部１５は、受信した実際使用検出値関連情報を破棄する（ステップＳＦ３）。ステップＳＦ３の処理後、フローチャートＦＦは終了する。契約フラグがオンではない場合（オフの場合）（ステップＳＦ２：ＮＯ）、追加料金算出部１５は、特定したレコードの追加料金フラグのうち、実際使用検出値関連情報に含まれる情報が示す設備の種類に対応するフラグをオフからオンへと変更する（ステップＳＦ４）。
【００９３】
＜返却段階＞
次に、返却段階におけるカーシェアリングサービス提供システム１の各装置の動作例についてフローチャートを用いて説明する。図８のフローチャートＦＧは、追加料金の算出に関連する処理を実行するときの制御サーバ２の動作を示すフローチャートである。
【００９４】
キャンピングカーが返却されると、待機施設の所定の装置から、制御サーバ２の追加料金算出部１５に対して、返却通知情報が送信される（ステップＳＸ４）。追加料金算出部１５は、返却通知情報を受信すると、設備管理データベース１９を参照し、当該情報に含まれる予約ＩＤに対応するレコードを特定する（ステップＳＧ１）。次いで、追加料金算出部１５は、特定したレコードの追加料金フラグを参照し、追加料金フラグがオンとなっている設備の種類を認識する（ステップＳＧ２）。次いで、追加料金算出部１５は、追加料金フラグがオンとなっている設備のそれぞれに追加すべき料金を加算することにより、追加料金を算出する（ステップＳＧ３）。追加料金を算出した後、追加料金算出部１５は、算出した追加料金を予約管理システムに通知する（ステップＳＧ４）。
【００９５】
以上詳しく説明したように、カーシェアリングサービス提供システム１は、事前の契約に基づく使用の許可／非許可を設備ごとに管理し、使用が許可されていない設備をユーザが使用しようとしていることを検出し、警告する。
【００９６】
この構成によれば、使用の許可／非許可が設備ごとに管理されるため、この管理の下、使用が許可された設備についてのみ課金することが可能となり、ユーザにとって不必要な費用負担が発生することを抑制できる。その上で、上記構成によれば、使用が許可されていない設備をユーザが使用しようとした場合、警告がなされ、ユーザは警告に基づいて、使用が許可されていない設備を使用しようとしたことを認識できる。このため、ユーザは、キャンピングカーを借り受ける際、自分が何を使用でき、何を使用できないのかを完全に把握する必要がなく、ユーザの利便性の低下を抑制できる。
【００９７】
以上、本発明の一実施形態説明したが、上記実施形態は、本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【００９８】
例えば、上記実施形態では、利用料金は後払いであったが、確定的に発生する料金については、先払いとする構成でもよい。この場合において、事後的に契約を変更し使用可能となった設備に関して発生する料金や、使用できないにもかかわらずユーザが使用した設備に関して発生する料金については後払いとすることが可能である。また、この場合において、ユーザに対して警告が行われた後、ユーザが契約を変更することを望んだ場合、ユーザにより支払い（例えば、クレジットカードを利用した支払い）が行われたり、ユーザが料金を支払うことについて合意した場合にのみ、設備が使用可能となるようにしてもよい。
【００９９】
また、上記実施形態では、カーシェアリングサービスにおいて貸し出される、設備が搭載された車両を「キャンピングカー」としたが、貸し出される車両は、キャンピングカーに限らず、設備が設けられた車両であればよい。例えば、貸し出される車両は、冷蔵庫やカラオケシステムが設けられた大型車であってもよい。
【０１００】
また、上記実施形態では、キャンピングカーの貸し出しが行われるサービスをカーシェアリングサービスとしたが、これをレンタカーサービスであってもよい。
【０１０１】
また、設備を使用しようとしたこと、および、設備の機能が発揮されるような態様で設備を使用したことを検出する方法は、上記実施形態で例示した方法に限らず、設備の種類や、設けられたセンサに応じて、適切な方法とすることができる。一例として、車室内カメラで車室内の様子を検出し、このカメラが出力する画像データを分析することにより、検出するようにしてもよい。この場合、プライバシーを考慮して、車室内カメラが出力する画像データを、画素ごとに温度に関する情報を有する画像データであり、解像度が非常に低い画像データとすることが可能である。
【０１０２】
また、上記実施形態では、ユーザが設備を使用しようとした場合に、そのことを検出し、警告する構成であったが、使用しようとしたことを検出する構成に代えて、少しだけ使用したことを検出し、警告する構成としてもよい。
【符号の説明】
【０１０３】
１  カーシェアリングサービス提供システム（車両設備管理システム）
１０  使用可否管理部
１２  使用意思検出部
１３  警告部
１４  応答部
１５  追加料金算出部
１６  使用状況通知部
【図１】
2020119275.tif 000003
【図２】
2020119275.tif 000004
【図３】
2020119275.tif 000005
【図４】
2020119275.tif 000006
【図５】
2020119275.tif 000007
【図６】
2020119275.tif 000008
【図７】
2020119275.tif 000009
【図８】
2020119275.tif 000010